(57)【要約】  表示手段の表示面上に配設されたタッチスクリーンを入力手段として利用して、顕微鏡の種々の作動制御を充分容易に且つ精密に遂行することができるようにする。  表示手段の表示面上に配設されたタッチスクリ−ンに適用される操作者の指の種々のジェスチャ、例えば１本の指による当接（タップ）、２回連続して当接（ダブルタップ）、指を当接し離脱することなく移動する（ドラッグ）、指を当接して所定時間以上維持する（タッチアンドホールド）、２本の指を同時に当接せしめて指の間隔を広げる（ピンチアウト）或いは狭める（ピンチイン）、２本の指を同時に当接せしめて平行移動する（ダブルドラッグ）等、に基づいて種々の作動制御を遂行するようになす。
2012128305.tif 000002
【特許請求の範囲】
【請求項１】
Ｘ及びＹ方向に移動自在に装着された試料ステージ、該試料ステージをＸ及びＹ方向に駆動するＸ及びＹ方向駆動手段、倍率が異なった複数個の対物レンズを含むレボルバ、該試料ステージと該レボルバとをＺ方向に相対的移動せしめるためのＺ方向駆動手段、該複数個の対物レンズのうちの任意の１個を選択的に該試料ステージに対向する作用位置に位置付けるためのレボルバ駆動手段、撮像手段、該試料ステージ上に位置せしめられた試料の画像を該作用位置に位置付けられた対物レンズを通して該撮像手段に投射する画像投射光学手段、表示手段、該表示手段の表示面上に配設されたタッチスクリーン、及び制御手段を具備する顕微鏡にして、
該制御手段は、該タッチスクリーンに適用される操作者の指のジェスチャに応じて、該Ｘ及びＹ方向駆動手段の作動、該Ｚ方向駆動手段の作動、該レボルバ駆動手段の作動、及び該表示手段における表示倍率を制御する、ことを特徴とする顕微鏡。
【請求項２】
該タッチスクリーンに１本の指が当接されると、該制御装置は、該撮像手段からの画像信号を内蔵メモリに保存し、該表示手段の表示面上に保存した画像信号に基づくメモリ画像を表示せしめ、指が該タッチスクリーンから離脱されることなく移動されると、指の移動に応じて該表示手段の表示面上において該メモリ画像を移動せしめると共に、該Ｘ及びＹ方向駆動手段を作動せしめて該試料ステージをＸ及び／又はＹ方向に移動せしめる、請求項１記載の顕微鏡。
【請求項３】
該制御手段は、該タッチスクリーンに指が当接されてから該タッチスクリーンから指が離脱されるまで、所定時間間隔で指の移動を検出し指の位置に基いて該メモリ画像を更新し、そして指の移動が停止されて指が該タッチスクリーンから離脱され、該試料ステージの移動が終了すると、該表示手段の表示面上に表示される画像を該撮像手段に投射されているリアルタイム画像にせしめる、請求項２記載の顕微鏡。
【請求項４】
該タッチスクリーンに２本の指が同時に当接されると、該制御手段は、２本の指の間隔を記憶し、該タッチスクリーンから２本の指が離脱されることなく２本の指の間隔が変化せしめられると、該制御手段は、２本の指の間隔の変化率に応じて該表示手段の表示面上に表示される画像の倍率を変化せしめる、請求項１から３までのいずれかに記載の顕微鏡。
【請求項５】
２本の指の間隔の変化率が所定閾値を越えると、該制御手段は、該レボルバ駆動手段を作動せしめて該試料ステージに対向する該作用位置に位置する対物レンズを変更する、請求項４記載の顕微鏡。
【請求項６】
該レボルバ駆動手段の作動を開始する際には、該制御手段は、該撮像手段からの画像信号を該内蔵メモリに保存し、該レボルバ駆動手段の作動中においては該表示手段の該表示面上には該内臓メモリに保存した画像信号に基づくメモリ画像を２本の指の変化率に応じた倍率で表示せしめる、請求項５記載の顕微鏡。
【請求項７】
対物レンズの変更が終了すると、該制御手段は、該内蔵メモリに予め保存した同焦点距離及び視野中心位置に関する情報に基いて、該Ｘ方向及びＹ方向駆動手段及び／又は該Ｚ方向駆動手段を作動せしめてピント調整し、しかる後に該表示手段の表示面上に表示される画面を該撮像手段に投射されているリアルタイム画像にせしめる、請求項５又は６記載の顕微鏡。
【請求項８】
最低倍率の対物レンズが作用位置に位置せしめられた後に該表示手段の該表示面上に表示される画像が縮小された場合、該制御手段は、該表示手段の該表示面上におけるリアルタイム画像の外側の領域にリアルタイム画像に続く追加画像が付加された広視野バッファ画像を表示せしめる、請求項１から７までのいずれかに記載の顕微鏡。
【請求項９】
該追加画像が該内蔵メモリに記憶されていない場合には、該Ｘ及びＹ方向移動手段を作動せしめて該試料ステージをＸ及びＹ方向に移動して所要追加画像信号を該内蔵メモリに保存し、しかる後に該試料ステージを初期位置に戻す、請求項８記載の顕微鏡。
【請求項１０】
該表示手段の該表示面上に該広視野バッファ画像が表示せしめられている状態において、該タッチスクリーンに１本の指が当接されると、該制御装置は、該広視野バッファ画像信号を該内蔵メモリに保存し、指が該タッチスクリーンから離脱されることなく移動されると、指の移動に応じて該表示手段の表示面上において該広視野バッファ画像を移動せしめると共に、該Ｘ及びＹ方向駆動手段を作動せしめて該試料ステージをＸ及び／又はＹ方向に移動せしめる、請求項８又は９記載の顕微鏡。
【請求項１１】
該タッチスクリーンの同位置に指が２回続けて当接されると、該制御手段は、該同位置及びその近傍のコントラストに基づいて該Ｚ方向駆動手段を作動せしめて、該試料テーブル上の試料に対して作用位置に位置付けられている対物レンズの焦点合わせを遂行する、請求項１から１０までのいずれかに記載の顕微鏡。
【請求項１２】
ラマン顕微鏡であり、該タッチスクリーンに操作者の指の特定のジェスチャが適用されると、該制御手段は、ラマン測定領域設定モードに設定する、請求項１から１１までのいずれかに記載の顕微鏡。
【請求項１３】
該特定のジェスチャは指を当接せしめて所定時間維持することであり、該制御手段は、指が当接された部位を測定領域として設定する、請求項１２記載の顕微鏡。
【請求項１４】
該測定領域設定モードに設定された後に、該タッチスクリーンに指が当接され該タッチスクリーンから離脱されることなく移動されると、該制御手段は指の移動に対応して測定領域を設定する、請求項１２記載の顕微鏡。
【請求項１５】
該タッチスクリーンに２本の指が同時に当接され、該タッチスクリーンから離脱されることなく平行移動せしめられると、該制御手段は、２本の指の平行移動量に応じて該Ｚ方向駆動手段を作動せしめて該レボルバに対して該資料ステージをＺ方向に相対的に移動せしめる、請求項１から１４までのいずれかに記載の顕微鏡。
【請求項１６】
２本の指が所定方向に平行移動せしめられると、該制御手段は、該レボルバに対して接近する方向に該試料ステージを相対的に移動せしめ、２本の指が反対方向に平行移動せしめられると、該制御手段は、該レボルバに対して離隔する方向に該試料ステージを移動せしめる、請求項１５記載の顕微鏡。
【請求項１７】
該タッチスクリーンに２本の指が同時に当接され、該タッチスクリーンから離脱されることなく平行移動せしめられると、該制御手段は、該表示手段上に該レボルバに対する該試料ステージの相対的位置を示すための尺度と試料ステージ標識とを表示し、該レボルバに対する該試料ステージに相対的移動に応じて該試料ステージ標識を該尺度に沿って移動せしめる、請求項１５または１６記載の顕微鏡。
【請求項１８】
該尺度と該試料ステージ標識とが所定時間に渡って表示され、該尺度と該試料ステージ標識とが表示されている時に、該試料ステージ標識に指を当接せしめて該尺度に沿って移動せしめると、指の移動に応じて該レボルバに対して該試料ステージが相対的に移動せしめられる、請求項１５から１７までのいずれかに記載の顕微鏡。
【請求項１９】
該タッチスクリーンが無線で該制御手段に接続されている状態において、使用者の意図に反して無線接続が切断された時に、該レボルバに対して該試料ステージが所定距離を超えて接近している場合には、該制御手段は、該Ｚ方向駆動を作動せしめて該レボルバに対して該試料ステージを所定距離離隔した位置に相対的に移動せしめる、請求項１から１８までのいずれかに記載の顕微鏡。
【請求項２０】
レーザ光源を備えており、該タッチスクリーンが無線で該制御手段に接続されている状態において、使用者の意図に反して無線接続が切断された時に該レーザ光源が付勢されている場合には、該制御手段は、該レーザ光源を除勢する、請求項１から１９までのいずれかに記載の顕微鏡。
【発明の詳細な説明】
【技術分野】
【０００１】
本発明は、表示手段の表示面上に配設されたタッチスクリーンを備えた顕微鏡に関する。
【背景技術】
【０００２】
ラマン顕微鏡の如き顕微鏡の典型例は、Ｘ及びＹ方向に移動自在に装着された試料ステージ、試料ステージをＸ及びＹ方向に駆動するＸ及びＹ方向駆動手段、倍率が異なった複数個の対物レンズを含むレボルバ、試料ステージとレボルバとをＺ方向に相対的に移動せしめるためのＺ方向駆動手段、複数個の対物レンズのうちの任意の１個を選択的に試料ステージに対向する作用位置に位置付けるためのレボルバ駆動手段、ＣＣＤカメラの如き撮像手段、試料ステージ上に位置せしめられた試料の画像を作用位置に位置付けられた対物レンズを通して撮像手段に投射する画像投射光学手段、液晶パネルの如き表示手段、及び制御手段を具備している。かような顕微鏡においては、試料ステージ上の試料の観察乃至測定領域の選定、観察乃至測定倍率の選定、対物レンズの焦点合わせ等の制御操作を適宜に遂行することが必要であるが、通常、これらの制御操作はジョイステック或いはトラックボ−ルの如き入力手段を介して遂行されている。しかしながら、かような入力手段を利用した制御操作には、入力操作と試料ステージの移動の如き出力作動との間に存在するタイムラグ等に起因して制御操作が必ずしも容易ではなく相当な熟練を要する。特に高倍率で観察乃至測定を行う場合、低倍率画面で観察乃至測定領域を概略的に設定し、しかる後に高倍率で観察乃至測定領域を充分精密に設定することになるが、倍率変更の際には対物レンズを交換し焦点合わせを行うことが必要であり、操作が相当煩雑である。【０００３】
一方、下記特許文献１及び２には、液晶パネルの如き表示手段の表示面上にタッチスクリーンを配設し、かかるタッチスクリーンを入力手段として利用する顕微鏡が開示されている。しかしながら、下記特許文献１及び２に開示されている顕微鏡における作動制御様式は、タッチスクリーン上に規定された各種機能スイッチに対する指の当接或いは単なる指の移動に基づくものであり、制御操作が限定的である、表示手段上には画像投射光学系を介して撮像手段に投射される試料ステージ上の試料の画像が表示されるが、入力操作と試料ステージの移動完了との間には相当なタイムラグが存在し、試料ステージを相当な長さに渡って移動せしめる場合は領域指定と試料ステージの移動完了待ちと繰り返すことが必要である、対物レンズを交換した場合には同焦点距離の誤差及び視野中心の誤差を修正することが必要であるが、かような誤差修正が考慮されていない、ラマン顕微鏡の場合に必要とされる測定領域の設定が考慮されていない、等の問題が存在する。
【先行技術文献】
【特許文献】
【０００４】
【特許文献１】特開平９−１９７２８７号公報
【特許文献２】特開２００１−５９９４０号公報
【発明の概要】
【発明が解決しようとする課題】
【０００５】
本発明は上記事実に鑑みてなされたものであり、その主たる技術的課題は、表示手段の表示面上に配設されたタッチスクリーンを入力手段として利用して、顕微鏡の種々の作動制御を充分容易に且つ精密に遂行することができる、新規且つ改良された顕微鏡を提供することである。
【課題を解決するための手段】
【０００６】
本発明者等は、鋭意検討の結果、表示手段の表示面上に配設されたタッチスクリ−ンに適用される操作者の指の種々のジェスチャ、例えば１本の指による当接（タップ）、２回連続して当接（ダブルタップ）、指を当接し離脱することなく移動する（ドラッグ）、指を当接して所定時間以上維持する（タッチアンドホールド）、２本の指を同時に当接せしめて指の間隔を広げる（ピンチアウト）或いは狭める（ピンチイン）、２本の指を同時に当接せしめて平行移動する（ダブルドラッグ）等、に基づいて種々の作動制御を遂行するようになすことによって、上記主たる技術的課題を達成することができることを見出した。【０００７】
即ち、本発明によれば、上記主たる技術的課題を達成する顕微鏡として、Ｘ及びＹ方向に移動自在に装着された試料ステージ、該試料ステージをＸ及びＹ方向に駆動するＸ及びＹ方向駆動手段、倍率が異なった複数個の対物レンズを含むレボルバ、該試料ステージと該レボルバとをＺ方向に相対的移動せしめるためのＺ方向駆動手段、該複数個の対物レンズのうちの任意の１個を選択的に該試料ステージに対向する作用位置に位置付けるためのレボルバ駆動手段、撮像手段、該試料ステージ上に位置せしめられた試料の画像を該作用位置に位置付けられた対物レンズを通して該撮像手段に投射する画像投射光学手段、表示手段、該表示手段の表示面上に配設されたタッチスクリーン、及び制御手段を具備する顕微鏡にして、
該制御手段は、該タッチスクリーンに適用される操作者の指のジェスチャに応じて、該Ｘ及びＹ方向駆動手段の作動、該Ｚ方向駆動手段の作動、該レボルバ駆動手段の作動、及び該表示手段における表示倍率を制御する、ことを特徴とする顕微鏡が提供される。【０００８】
好ましくは、該タッチスクリーンに１本の指が当接されると、該制御装置は、該撮像手段からの画像信号を内蔵メモリに保存し、該表示手段の表示面上に保存した画像信号に基づくメモリ画像を表示せしめ、指が該タッチスクリーンから離脱されることなく移動されると、指の移動に応じて該表示手段の表示面上において該メモリ画像を移動せしめると共に、該Ｘ及びＹ方向駆動手段を作動せしめて該試料ステージをＸ及び／又はＹ方向に移動せしめる。該制御手段は、該タッチスクリーンに指が当接されてから該タッチスクリーンから指が離脱されるまで、所定時間間隔で指の移動を検出し指の位置に基いて該メモリ画像を更新し、そして指の移動が停止されて指が該タッチスクリーンから離脱され、該試料ステージの移動が終了すると、該表示手段の表示面上に表示される画像を該撮像手段に投射されているリアルタイム画像にせしめるのが好適である。【０００９】
該タッチスクリーンに２本の指が同時に当接されると、該制御手段は、２本の指の間隔を記憶し、該タッチスクリーンから２本の指が離脱されることなく２本の指の間隔が変化せしめられると、該制御手段は、２本の指の間隔の変化率に応じて該表示手段の表示面上に表示される画像の倍率を変化せしめるのが好ましい。好適には、２本の指の間隔の変化率が所定閾値を越えると、該制御手段は、該レボルバ駆動手段を作動せしめて該試料ステージに対向する該作用位置に位置する対物レンズを変更する。該レボルバ駆動手段の作動を開始する際には、該制御手段は、該撮像手段からの画像信号を該内蔵メモリに保存し、該レボルバ駆動手段の作動中においては該表示手段の該表示面上には該内臓メモリに保存した画像信号に基づくメモリ画像を２本の指の変化率に応じた倍率で表示せしめるのが好都合である。好ましくは、対物レンズの変更が終了すると、該制御手段は、該内蔵メモリに予め保存した同焦点距離及び視野中心位置に関する情報に基いて、該Ｘ方向及びＹ方向駆動手段及び／又は該Ｚ方向駆動手段を作動せしめてピント調整し、しかる後に該表示手段の表示面上に表示される画面を該撮像手段に投射されているリアルタイム画像にせしめる。【００１０】
好ましくは、最低倍率の対物レンズが作用位置に位置せしめられた後に該表示手段の該表示面上に表示される画像が縮小された場合、該制御手段は、該表示手段の該表示面上におけるリアルタイム画像の外側の領域にリアルタイム画像に続く追加画像が付加された広視野バッファ画像を表示せしめる。該追加画像が該内蔵メモリに記憶されていない場合には、該Ｘ及びＹ方向移動手段を作動せしめて該試料ステージをＸ及びＹ方向に移動して所要追加画像信号を該内蔵メモリに保存し、しかる後に該試料ステージを初期位置に戻すのが好適である。該表示手段の該表示面上に該広視野バッファ画像が表示せしめられている状態において、該タッチスクリーンに１本の指が当接されると、該制御装置は、該広視野バッファ画像信号を該内蔵メモリに保存し、指が該タッチスクリーンから離脱されることなく移動されると、指の移動に応じて該表示手段の表示面上において該広視野バッファ画像を移動せしめると共に、該Ｘ及びＹ方向駆動手段を作動せしめて該試料ステージをＸ及び／又はＹ方向に移動せしめるのが好ましい。【００１１】
好適には、該タッチスクリーンの同位置に指が２回続けて当接されると、該制御手段は、該同位置及びその近傍のコントラストに基づいて基いて該Ｚ方向駆動手段を作動せしめて、該試料テーブル上の試料に対して作用位置に位置付けられている対物レンズの焦点合わせを遂行する。【００１２】
ラマン顕微鏡である場合、該タッチスクリーンに操作者の指の特定のジェスチャが適用されると、該制御手段は、ラマン測定領域設定モードに設定するのが好ましい。該特定のジェスチャは指を当接せしめて所定時間維持することであり、該制御手段は、指が当接された部位を測定領域として設定するのが好都合である。該測定領域設定モードに設定された後に、該タッチスクリーンに指が当接され該タッチスクリーンから離脱されることなく移動されると、該制御手段は指の移動に対応して測定領域を設定するのが好ましい。【００１３】
該タッチスクリーンに２本の指が同時に当接され、該タッチスクリーンから離脱されることなく平行移動せしめられると、該制御手段は、２本の指の平行移動量に応じて該Ｚ方向駆動手段を作動せしめて該レボルバに対して該資料ステージをＺ方向に相対的に移動せしめるのが好適である。好ましくは、２本の指が所定方向に平行移動せしめられると、該制御手段は、該レボルバに対して接近する方向に該試料ステージを相対的に移動せしめ、２本の指が反対方向に平行移動せしめられると、該制御手段は、該レボルバに対して離隔する方向に該試料ステージを移動せしめる。該タッチスクリーンに２本の指が同時に当接され、該タッチスクリーンから離脱されることなく平行移動せしめられると、該制御手段は、該表示手段上に該レボルバに対する該試料ステージの相対的位置を示すための尺度と試料ステージ標識とを表示し、該レボルバに対する該試料ステージに相対的移動に応じて該試料ステージ標識を該尺度に沿って移動せしめるのが好都合である。該尺度と該試料ステージ標識とが所定時間に渡って表示され、該尺度と該試料ステージ標識とが表示されている時に、該試料ステージ標識に指を当接せしめて該尺度に沿って移動せしめると、指の移動に応じて該レボルバに対して該試料ステージが相対的に移動せしめられるのが好適である。【００１４】
該タッチスクリーンが無線で該制御手段に接続されている状態において、使用者の意図に反して無線接続が切断された時に、該レボルバに対して該試料ステージが所定距離を超えて接近している場合には、該制御手段は、該Ｚ方向駆動を作動せしめて該レボルバに対して該試料ステージを所定距離離隔した位置に相対的に移動せしめるのが好ましい。レーザ光源を備えた顕微鏡においては、該タッチスクリーンが無線で該制御手段に接続されている状態において、使用者の意図に反して無線接続が切断された時に該レーザ光源が付勢されている場合には、該制御手段は、該レーザ光源を除勢するのが好都合である。
【発明の効果】
【００１５】
本発明の顕微鏡においては、表示手段の表示面上に配設されたタッチスクリーンに適用される指の種々のジェスチャが検出され、これに応じて種々の作動制御が遂行され、かくして顕微鏡の種々の作動制御を充分容易に且つ精密に遂行される。
【図面の簡単な説明】
【００１６】
【図１】本発明に従って構成された顕微鏡の好適実施形態を示す簡略ブロック線図。
【図２】図１に図示する顕微鏡における基本作動制御様式を示すフローチャート。
【図３】図１に図示する顕微鏡における指のジェスチャに応じて作動制御様式を示すフローチャート。
【図４】図１に図示する顕微鏡における試料ステージ移動及び画像更新様式を示すフローチャート。
【図５】図１に図示する顕微鏡における倍率変化様式を示すフローチャート。
【図６】図１に図示する顕微鏡における倍率変化様式（デジタルズーム倍率が１より小さい場合)を示すフローチャート。
【図７】図１に図示する顕微鏡における試料ステージ移動及び画面更新様式（デジタルズーム倍率が１より小さい場合)を示すフローチャート。
【図８】図１に図示する顕微鏡における試料ステージ昇降様式を示すフローチャート。
【図９】倍率変化と対物レンズ交換との関係を示すグラフ。
【図１０】図１の顕微鏡における表示手段に表示される広視野バッファ画像の一例を示す簡略線図。
【図１１】試料ステージの昇降位置を示すための尺度及び試料ステージ標識を示す罐略図。
【発明を実施するための形態】
【００１７】
図１には、本発明に従って構成されたラマン顕微鏡の主要構成要素が簡略に図示されている。図示のラマン顕微鏡は、試料２を載置するための試料ステージ４を含んでいる。この試料ステージ４はＸ方向（図１において左右方向）、Ｙ方向（図１において紙面に垂直な方向）及びＺ方向（図１において上下方向）に移動自在に装着されている。試料ステージ４には駆動手段６が付設されており、かかる駆動手段６の作動によって試料ステージ４はＸ方向、Ｙ方向及びＺ方向に適宜に移動せしめられる。従って、駆動手段６は試料ステージ４をＸ方向及びＹ方向に駆動するためのＸ及びＹ方向駆動手段を構成すると共に、試料ステージ４をＺ方向に駆動するためのＺ方向駆動手段を構成する。
【００１８】
試料ステージ４の上方にはレボルバ１０が回転自在に装着されており、このレボルバ１０には倍率が異なった複数個の対物レンズ８、例えば倍率が５、１０、２０及び５０である４個の対物レンズ８、が装備されている（図１にはそのうちの１個のみを図示している）。レボルバ１０にはレボルバ駆動手段１２が付設されており、レボルバ駆動手段１２によってレボルバ１０を適宜に回転せしめることによって、複数個の対物レンズ８のうちの所定の１個が試料ステージ４に対向して位置する作用位置に位置付けられる。図示の実施形態においては、上述したとおり試料ステージ４がＺ方向に適宜に移動せしめられて対物レンズ８と試料ステージ４上の試料２とのＺ方向間隔が適宜に設定されるが、所望ならば試料ステージ４をＺ方向に移動することに代えて或いはこれに加えてレボルバ１０をＺ方向に適宜に移動せしめて対物レンズ８と試料ステージ４上の試料２とのＺ方向間隔を適宜に設定することもできる。
【００１９】
図示のラマン顕微鏡には、レーザ光源１４、ビームエキスパンダ１６、Ｙ方向操作手段１８、レンズ２０、絞り２４、レンズ２６、ビームスプリッタ２８、Ｘ方向操作ミラー３０、レンズ３２、レンズ３４、レンズ４０、入射スリット４４を有する分光器４６、及びＣＣＤカメラから構成することができるラマン信号検出器４８が配設されている。図示のラマン顕微鏡におけるこれらの構成要素の具体的構成及び作用は、特開２００７−１７９００２号公報の明細書及び図面（特に図１）に詳細に開示されているので、かかる記載に委ね本明細書においては説明を省略する。
【００２０】
図１を参照して説明を続けると、レンズ４０とレボルバ１０との間にはビームスプリッタ５０が配設され、このビームスプリッタ５０に関連せしめてレンズ５２及び撮像手段５４が配設されている。ビームスプリッタ５０及びレンズ５２は、試料ステージ４上の試料２の画像を作用位置に位置付けられている対物レンズ８を介して撮像手段５４に投射する画像投射光学手段を構成する。撮像手段５４はＣＣＤカメラから構成することができる。撮像手段５４は上記ラマン信号検出器４８と共に制御手段５６に接続されている。メモリを内蔵したコンピュターから構成することができる制御手段５６には表示手段５８が付設されている。この表示手段５８は液晶パネルの如き適宜の表示器から構成することができる。表示手段５８の表示面上には、操作者の指の当接を感知するタッチスクリーン６０が配設されていることが重要である。
【００２１】
本発明に従って構成された顕微鏡においては、以下の詳細に説明するとおり、上記タッチスクリ−ン６０に適用される操作者の指のジェスチャに応じて、制御手段５６が顕微鏡の種々の作動を制御することが重要である。制御手段５６と顕微鏡の種々の構成要素との信号の送受信は、適宜の信号線を介して遂行することができる。所望ならば、無線によって信号の送受信を遂行することもできる。図１と共に図２に図示するフローチャートを参照して説明を続けると、電源投入により顕微鏡の作動が開始されると、投入ステップｎ−１においては初期化が遂行されて、顕微鏡は予め設定された初期状態にせしめられる。次いで、ステップｎ−２において撮像手段５４に投射されている画像、即ちリアルタイム画像が表示手段５８の表示面に表示される。ステップｎ−３においては、タッチスクリーン６０に操作者の指のジェスチャが適用されたか否かが判別される。操作者の指のジェスチャが適用された場合には、ステップｎ−４に移行し、以下に詳述するとおりにしてジェスチャに応じた作動制御が遂行される。ステップｎ−５においてはジェスチャに応じた作動制御が終了したか否かが判別される。
【００２２】
次に、ジェスチャに応じた作動制御について詳述するが、試料ステージ４上の試料が表示手段５８の表示面に表示される倍率を意味する「総合倍率」は、次の式で示される。
（総合倍率）＝（対物レンズ８の倍率）×（画像投射光学手段の倍率）
×（デジタルズーム倍率）×（撮像手段５４の画像領
域寸法と表示手段５８の表示面寸法との比）
尚、語句「デジタルズーム倍率」は撮像手段５４からの画像全体と表示手段５８の表示面上に実際に表示される部分との比であって、倍率１の場合には撮像手段５４からの画像全体が表示され、倍率が１よりも大きい場合には撮像手段５４からの画像の一部が拡大されて表示手段５８の表示面に表示され、倍率が１よりも小さい場合には表示手段５８の表示面よりも撮像手段５４からの画像が小さくなる。
【００２３】
図１と共に図３に図示するフローチャートを参照して説明すると、ステップｓ−１においては、タッチスクリーン６０に適用されたジェスチャが判別される。そして、ジェスチャがドラッグの場合にはステップｓ−２に移行して試料ステージ４の移動が遂行され、ジェスチャがピンチイン或いはピンチアウトの場合にはステップｓ−３に移行して倍率変更が遂行され、ジェスチャがダブルタップの場合にはステップｓ−４に移行して対物レンズ８の焦点合わせ（オートフォーカス）が遂行され、ジェスチャがタップアンドホールドの場合にはステップｓ−５に移行して測定領域設定が遂行され、ジェスチャがダブルドラッグ場合にはステップｓ−６に移行して試料ステージ昇降が遂行される。
【００２４】
図１と共に図４に図示するフローチャートを参照して試料ステージ４の移動について説明すると、デジタルズーム倍率が１以上である状態において、ステップｔ−１においては、撮像手段５４からの画像信号が制御手段５６の内蔵メモリに保存され、保存された画像信号に基づくメモリ画像が表示手段５８の表示面に表示される。次いで、ステップｔ−２に移行し、指の移動距離が算出される。ステップｔ−３においては、表示手段５８の表示面に表示されているメモリ画像が指の移動距離だけ移動せしめられると共に、試料ステージ４の移動が開始される。しかる後に、ステップｔ−４に移行してタッチスクリーン６０から指が離脱されたか否か、即ちドラッグが終了したか否か、が判別される。ドラッグが終了していない場合には、ステップｔ−５に移行して試料ステージ４が指の移動距離に対応した距離に渡って移動されたか否かが判別される。そして、試料ステージ４の所要移動が完了していない場合には上記ステップｔ−２に戻る。このようにして試料ステージ４の移動完了を待たずに、所定時間間隔で指の移動距離を繰り返し検出して試料ステージ４の移動距離を更新する。従って、試料ステージ４の移動完了を待って次の移動を開始する場合（上記特許文献１及び２に開示の場合）に比べて、待ち時間なくして試料ステージ４を連続して移動せしめて試料の測定部位を迅速に探すことができる。試料ステージ４の所要移動が完了した場合には、ステップｔ−６に移行して制御手段５６の内蔵メモリに保存されている画像信号を撮像手段５４からの画像信号に更新する。従って、内臓メモリに保存されている画像信号も所定時間間隔で更新される。上記ステップｔ−４においてドラッグが終了した場合には、ステップｔ−７に移行して試料ステージ４が指の移動距離に対応した距離に渡って移動されるのを待って、表示手段５８の表示面に表示される画像がメモリ画像からリアルタイム画像に切り替えられる。所望ならば、試料ステージ４の移動の際に、表示手段５８の表示面に表示される画像をリアルタイム画像からメモリ画像に変換することに代えて、リアルタイム画像に重ねてメモリ画像を例えば半透明な状態で表示することもできる。
【００２５】
図１と共に図５を参照して倍率変更様式を説明すると、ステップｘ−１においては、タッチスクリーン６０に当接せしめられた２本の指の間隔を保存する。次いで、ステップｘ−２に移行して、２本の指の間隔が変化（ピンチイン或いはピンチアウト）せしめられると、間隔の縮小率或いは拡大率を算出し、算出した縮小率或いは拡大率に応じて撮像手段５４からの画像信号を縮小或いは拡大して表示手段５８の表示面上に表示する。縮小率或いは拡大率が閾値を越えると、レボルバ１０の回転が開始されて作用位置に位置付けられる対物レンズ８の交換が開始される。対物レンズ８の交換に関する閾値には、図９に図示する如く、ヒステリシスを持たせて指の振動或いは指の位置の読取りノイズによって対物レンズ８が頻繁に交換されてしまうことを回避するのが望ましい。作用位置にある対物レンズ８が最低倍率のものであってデジタルズーム倍率が１より小さい場合には、図６に図示するフローチャートに従った作動制御が遂行される（これについては後述する）。ステップｘ−３においては、対物レンズ８の交換が開始されたか否かが判別される。対物レンズ８の交換が開始されていない場合にはステップｘ−４に移行し、ピンチイン或いはピンチアウトが終了し２本の指がタッチスクリーン６０から離脱されたか否かが判別される。ピンチイン或いはピンチアウトが終了していない場合には上記ステップｘ−２に戻る。ピンチイン或いはピンチアウトが終了し２本の指がタッチスクリーン６０から離脱された場合にはステップｘ−５に移行し、対物レンズ８の交換が実行されているか否かが判別される。対物レンズ８の交換が実行されている場合にはステップｘ−６に移行し、対物レンズ８の交換終了を待って、表示手段５８の表示面に表示される画像をリアルタイム画像に切り替える。上記ステップｘ−３において対物レンズ８の交換が開始された場合には、ステップｘ−７に移行して、対物レンズ８の交換開始時における撮像手段５４からの画像信号を制御手段５６の内蔵メモリに保存し、表示手段５８の表示面に表示されている画像がメモリ画像に切り替わっていない場合にはメモリ画像に切り替える。従って、対物レンズ８の交換中においては、表示手段５８の表示面にはメモリ画像がデジタルズームされて表示される。次いで、ステップｘ−８に移行して対物レンズ８の交換が終了したか否かが判別される。対物レンズ８の交換が終了したか否かが判別される。対物レンズ８の交換が終了していない場合には上記ステップｘ−４に移行する。対物レンズ８の交換が終了した場合にはステップｘ−９に移行する。ステップｘ−９においては、制御手段５６の内蔵メモリに予め保存されている同焦点距離の誤差及び視野中心位置の誤差に基いて、試料ステージ４がＺ方向並びにＸ及びＹ方向に移動せしめられてピント調整され、そしてまた表示手段５８の表示面上の画像がリアルタイム画像に切り替えられる。しかる後に上記ステップｘ−４に移行する。
【００２６】
デジタルズーム倍率が１よりも小さい場合おける倍率変更について説明すると、次のとおりである。ピンチインによる縮小によって最低倍率の対物レンズ８に交換された後に更にピンチインによる縮小が実行された場合、撮像手段５４からの画像信号による画像寸法が表示手段５８の表示面の寸法よりも小さくなる。この場合には、図１０に図示する如く、表示手段５８の表示面における、撮像手段５４から画像信号に基づく表示画像Ａの外側領域に、所要追加画像Ｂ１乃至８を付加した広視野バッファ画像を表示する。図１と共に図６に図示するフローチャートを参照して説明すると、最低倍率の対物レンズ８に交換された後に更にピンチインによる縮小が実行された場合、ステップｙ−１において、撮像手段５４からの画像信号を制御手段５６の内蔵メモリに保存し、リアルタイム画像表示を中止して表示手段５８の表示面に表示される画像を広視野バッファ画像（即ち、リアルタイム画像の周囲にこれに隣接する追加画像が表示される画像）に切り替える。この広視野バッファ画像において、メモリ画像を中央に表示し、その周囲領域における追加画像信号が未取得の部位は例えば灰色にする。次いで、ステップｙ−２に移行して、上述した様式と同様にしてピンチイン（或いはデジタルズーム倍率が既に１よりも小さい状態でのピンチアウト）による画像の縮小率（或いは拡大率）を算出する。ステップｙ−３においては、メモリ画像を所要縮小倍率で縮小（或いは所用拡大倍率で拡大）して表示する。ステップｙ−４においては、メモリ画像の周囲に表示すべき追加画像の未取得領域が存在するか否かが判別される。そして、未取得領域が存在する場合には、ステップｙ−５に移行する。ステップｙ−５においては、試料ステージ４を適宜移動せしめてメモリ画像に隣接する領域の画像が撮像手段５４に投射されるようにして撮像手段５４からの追加画像信号を保存し、保存したメモリ追加画像を表示手段５８の表示面上の所要部位に表示する。かかる作動を中心のメモリ画像の周囲に必要な全ての追加画像について繰り返し遂行し、かくして表示手段５８の表示面上に広視野バッファ画像を表示する。必要追加画像信号の取得が完了、即ち必要追加画像信号の未取得領域が存在しなくなると、ステップｙ−６に移行してピンチイン（或いはピンチアウト)が終了、即ち２本の指がタッチスクリーン６０から離脱されたか否かが判別される。ピンチイン（或いはピンチアウト）が終了していない場合には上記ステップｙ−２に戻る。ピンチイン（或いはピンチアウト）が終了した場合にはステップｙ−７に移行する。ステップｙ−７においては、メモリ画像が表示手段５８の表示面の中央に位置する状態に試料ステ−ジ４を戻し、そして試料ステージ４の戻し完了を待って、広視野画像の中央領域の画像をリアルタイム画像に切り替える。
【００２７】
次に、図１と共に図７を参照して、デジタルズーム倍率が１より小さい場合における試料ステージの移動様式を説明する。タッチスクリーン６０の指が当接されると試料ステージ４の移動手順が開始され、ステップｚ−１においては、撮像手段５４からの画像信号を制御手段５６の内蔵メモリに保存し、リアルタイム画像表示を中止して表示手段５８の表示面に表示される画像を広視野バッファ画像に切り替える。ステップｚ−２においては、指の移動距離が算出される。ステップｚ−３においては、指の移動距離に応じて広視野バッファ画像が移動せしめられる。ステップｚ−４においては、メモリ画像の周囲に表示すべき追加画像の未取得領域が存在するか否かが判別される。そして、未取得領域が存在する場合には、ステップｚ−５に移行する。ステップｚ−５においては、試料ステージ４を適宜移動せしめてメモリ画像に隣接する領域の画像が撮像手段５４に投射されるようにして撮像手段５４からの追加画像信号を保存し、保存したメモリ追加画像を表示手段５８の表示面上の所要部位に表示する。かかる作動を中心のメモリ画像の周囲に必要な全ての追加画像について繰り返し遂行し、かくして表示手段５８の表示面上に広視野バッファ画像を表示する。必要追加画像信号の取得が完了、即ち必要追加画像信号の未取得領域が存在しなくなると、ステップｚ−６に移行して指がタッチスクリーン６０から離脱されたか否か、即ちドラッグが終了したか否か、が判別される。ドラッグが終了していない場合には上記ステップｚ−２に戻る。ドラッグが終了した場合にはステップｚ−７に移行する。ステップｚ−７においては、撮像手段５４からの画像が表示手段５８の表示面の中央に位置する状態に試料ステ−ジ４を移動し、そして試料ステージ４の移動完了を待って、広視野画像の中央領域の画像をリアルタイム画像に切り替える。
【００２８】
図１及び図３を参照して説明すると、タッチスクリーン６０の同位置が指で２回続けて当接（ダブルタップ）されると、制御手段５６は、試料ステージ４上の試料２に対する対物レンズ８の焦点合わせ（オートフォーカス)を遂行する。この焦点合わせは、例えば指が当接された位置及びその近傍のコントラストを検出し、かかるコントラストに基いて遂行することができる。所望ならば、指が当接された位置にレーザ光線を照射し、レーザ光線が照射された状態における試料２の所要領域のコントラストに基いて焦点合わせを遂行することもできる。
【００２９】
図１及び図３を参照して説明を続けると、図示の実施形態においては、タッチスクリーン６０に指の特定のジェスチャが適用される、例えば指を当接せしめて所定時間以上維持される（タッチアンホールド）、と制御手段５６は、ラマン測定領域設定モードに設定する。そして、このラマン測定モードにおいては、タッチスクリーン６０に適用される指のジェスチャに応じてラマン測定領域を設定する。例えば、指が当接された位置自体をラマン測定領域として設定することができる。或いは、当接された指が移動された場合には、この移動に応じてラマン測定領域を設定することができる。例えば、当接された指がドラッグされた場合、当初の当接位置とドラッグ最終位置とを対角点とした矩形領域を測定領域とすることができる。ドラッグ中に表示されているリアルタイム画像ハシに達し或いは端を越えた場合には、上述した広視野バッファ画像に切り換え、広視野バッファ画像を更新しながら画像を移動せしめて、最低倍率の対物レンズの視野よりも広い領域を測定領域に設定することもできる。或いは、指が所要領域を囲むように移動された場合には囲まれた所要領域をラマン測定領域として設定することができる。
【００３０】
図８を参照して試料ステージ昇降様式を説明すると、ステップｍ−１においては、タッチスクリーン６０に当接された２本の指の間隔を保存する。次いで、ステップｍ−２に移行し、２本の指の間隔が実質上変動されることなく移動された場合（２本の指の間隔が変化した場合には図５に示すステップｘ−２に移行する）には、移動方向（上方又は下方）及び移動量が検出される。次いでステップｍ−３に移行し、表示手段５８の例えば片側部に図１１に図示する通りの尺度６２及び試料ステージ標識６４を所定時間に渡って表示する。試料ステージ標識６４は試料ステージ４の上下方向位置を示し、尺度６２はレボルバ１０と試料ステージ４との上下方向間隔を示している。次のステップｍ−４においては、２本の指の平行移動に応じて駆動手段６を作動せしめて試料ステージ４を昇降動する。更に詳しくは、２本の指が所定方向即ち上方へ平行移動せしめられた場合には試料ステージ４を上昇せしめ、２本の指が反対方向即ち下方に平行移動せしめられた場合には試料ステージ４を下降せしめる。試料ステージ４の上下方向位置は適宜の検出手段（図示していない）によって検出され、試料ステージ４の昇降に応じて試料ステージ標識６４が尺度６２に沿って昇降せしめられる。次いでステップｍ−５に移行し、２本の指の平行移動が終了し２本の指がタッチスクリーン６０から離脱されたか否かが判別される。平行移動が終了していない場合には、上記ステップｍ−２に戻る。表示手段５８に尺度６２及び試料ステージ標識６４が表示されている状態においては、試料ステージ標識６４に指を当接せしめ、試料ステージ標識６４を昇降動することによって試料ステージ４を昇降動せしめることもできる。
【００３１】
上述したとおり、タッチスクリーン６０と制御手段５６とは無線で接続することもできる。この場合には、使用者の意図に反して無線接続が切断された時にレボルバト１０と試料ステージ４とが所定距離を超えて接近している場合に、制御手段５６は自動的に試料ステージ４を下降せしめてレボルバ１０から試料ステージ４を所定距離離隔せしめ、かくして安全性を確保することが望ましい。また、レーザ光源１４が付勢されている場合にはこれを除勢するのが望ましい。
【符号の説明】
【００３２】
２：試料
４：試料ステージ
６：駆動手段（Ｘ及びＹ方向駆動手段、Ｚ方向駆動手段）
８：対物レンズ
１０：レボルバ
１２：レボルバ駆動手段
５４：撮像手段
５６：制御手段
５８：表示手段
６０：タッチスクリーン
【図１】
2012128305.tif 000003
【図２】
2012128305.tif 000004
【図３】
2012128305.tif 000005
【図４】
2012128305.tif 000006
【図５】
2012128305.tif 000007
【図６】
2012128305.tif 000008
【図７】
2012128305.tif 000009
【図８】
2012128305.tif 000010
【図９】
2012128305.tif 000011
【図１０】
2012128305.tif 000012
【図１１】
2012128305.tif 000013
【国際調査報告】
2012128305.tif 000014
2012128305.tif 000015
2012128305.tif 000016
2012128305.tif 000017